(57)【要約】      （修正有）【課題】患者が寝巻を着用したままでもドレーン及びチューブの屈曲による閉塞をなくし、胸腔内、腹腔内等に貯留した血液や膿等の体外への排出、および薬剤や輸液の送入を、円滑に行うことができる患者用寝巻ジャケットを提供する。【解決手段】本発明の患者用寝巻ジャケットは１、襟部３から袖口５に向けて設けた第１スリット１０と、前記第１スリットによって分離された前記前面部のそれぞれに設けられた、前記前面部同士を係止可能にする第１ボタン部材と、脇線から正中線１５に向けて脇線―正中線距離の略１／３の位置に、胸部６から裾部８に向けて設けられた第２スリット１２と、前記第２スリットによって分離された前記前面部のそれぞれに設けられた、前記前面部同士を係止可能にする第２ボタン部材とを備える。【選択図】図１
2011256498.tif 000002
【特許請求の範囲】
【請求項１】
左右に開閉可能な前面部を係止手段によって係止できる患者用寝巻ジャケットあって、
襟部から袖口に向けて設けた第１スリットと、
前記第１スリットによって分離された前記前面部のそれぞれに設けられた、前記前面部同士を係止可能にする第１ボタン部材と、
脇線から正中線に向けて脇線―正中線距離の略１／３の位置に、胸部から裾部に向けて設けられた第２スリットと、
前記第２スリットによって分離された前記前面部のそれぞれに設けられた、前記前面部同士を係止可能にする第２ボタン部材と
を備えた患者用寝巻ジャケット。
【請求項２】
請求項１記載の患者用寝巻ジャケットにおいて、
肩線から、接続部における袖部幅の略１／３の長さの位置に、第１スリットが設けられていることを特徴とする患者用寝巻ジャケット。
【発明の詳細な説明】
【技術分野】
【０００１】
本発明は、患者用寝巻ジャケットに関する。
【背景技術】
【０００２】
従来より、着脱が容易にできるように、寝巻の一部が開閉できるものが知られている。図７を参照して、特許文献１では、左右の前面部１０１を左右に開閉することができ、これら左右の前面部１０１を係止手段１０２によって係止できる寝巻において、襟部１０３から袖部１０４の先端開口部１０５に至るまで切り込み１０６を設けて、この切り込み１０６を開閉自在とし、この切り込み１０６によって分離された部分のそれぞれに止めホック１０７を設けて、切り込み１０６によって分離された部分同士を係止可能としたことを特徴とする介護用寝巻が開示されている。
【０００３】
また、図８を参照して、特許文献２では、縦長の略十字状に裁断した１枚の不織布を２つに折り返して、周辺を接合して形成する病人用寝巻であって、前記略十字状の縦長の上下部分に前みごろ２０１と後みごろ２０２を折り返して重合できるように形成し、且つ前記後みごろ２０２は裾が広い台形状とし、前記折り返し部分を肩線２０３とする両袖２０４を形成すると共に、前記肩線の中央近傍に略円形の首穴を設け、該首穴の左右の肩線のうちいずれか一方の肩線を切開して切開部２０５を設け、更に前記前みごろと後みごろとの脇部２０１ａ，２０１ｂ，２０２ａ，２０２ｂ近傍と、前記袖２０４の袖下２０６近傍と、前記一方の肩線２０３の切開部２０５の近傍とに、それぞれ面ファスナー２０７を複数個間隔を有して固着したことを特徴とする病人用寝巻が開示されている。
【先行技術文献】
【特許文献】
【０００４】
【特許文献１】特開平１０−１３０９１７号
【特許文献２】特開平８−０６０４１５号
【発明の概要】
【発明が解決しようとする課題】
【０００５】
外科手術に関連して、胸腔、腹腔等に管状器材（以下、ドレーンと言う）を挿入して、体腔内に貯留した血液や膿等を体外に誘導し排出する処置が行われる場合がある。
【０００６】
また、鎖骨周辺に、中心静脈栄養法（ＩＶＨ療法）や中心静脈栄養法及び薬剤投与（Ｖポート療法）の際に用いられる、皮下埋め込み式ポート（以下、ポートと言う）を埋め込み、ポートを体外から針で穿刺して、輸液や薬剤等を輸液チューブ（以下、チューブと言う）を介して体内に送入する処置が行われる場合がある。
【０００７】
上記の処置を受けた場合、従来の寝巻によれば、ドレーン及びチューブが、着用した寝巻により圧迫されたり患者が動いた時に屈曲することがある。ドレーン及びチューブが屈曲により閉塞すると、胸腔内、腹腔内等に貯留した血液や膿等の体外への排出が阻害され患者が合併症を引き起こしたり、創傷治癒が妨げられる問題、および薬剤や輸液の送入が円滑に行われず治療に影響を及ぼす問題があった。
【０００８】
また、上記事情を回避するために、ドレーン及びチューブ挿入部において、寝巻を捲り上げておく必要があり、患者に不快感を与える問題があった。
【０００９】
本発明では、患者が寝巻を着用したままでもドレーン及びチューブの屈曲による閉塞をなくし、胸腔内、腹腔内等に貯留した血液や膿等の体外への排出、および薬剤や輸液の送入を、円滑に行うことができる患者用寝巻ジャケットを提供することを目的とする。
【課題を解決するための手段】
【００１０】
上記課題を解決するために、本発明の患者用寝巻ジャケットは、左右に開閉可能な前面部を係止手段によって係止できる患者用寝巻ジャケットあって、襟部から袖口に向けて設けた第１スリットと、前記第１スリットによって分離された前記前面部のそれぞれに設けられた、前記前面部同士を係止可能にする第１ボタン部材と、脇線から正中線に向けて脇線―正中線距離の略１／３の位置に、胸部から裾部に向けて設けられた第２スリットと、前記第２スリットによって分離された前記前面部のそれぞれに設けられた、前記前面部同士を係止可能にする第２ボタン部材とを備えたことを特徴とする。
【発明の効果】
【００１１】
本発明によれば、患者が寝巻を着用したままでも、ドレーン及びチューブの屈曲による閉塞をなくし、胸腔内、腹腔内等に貯留した血液や膿等の体外への排出及び薬剤や輸液の体内への送入を、円滑に行うことができる。
【図面の簡単な説明】
【００１２】
【図１】本願発明に係る患者用寝巻ジャケットの全体正面図である。
【図２】同ジャケットの第１スリットの拡大図である。
【図３】同ジャケットを患者が着用時の、第１スリット部における胴体長手方向断面の拡大図である。
【図４】同ジャケットの第２スリットの拡大図である。
【図５】患者の仰臥位腹部におけるドレーン挿入部位を示す図である。
【図６】同ジャケットを患者が着用時の、第２スリット部における胴体短手方向断面の拡大図である。
【図７】従来例の、介護用寝巻の全体正面図である。
【図８】別の従来例の、病人用寝巻の全体正面図である。
【発明を実施するための形態】
【００１３】
以下に、本願の実施形態を図面を参照しながら説明する。なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００１４】
図１を参照して、患者用寝巻ジャケット１を説明する。本発明の患者用寝巻ジャケット１は、前面部２を閉じ、襟部３を正し、袖部４を広げて、前面部２を上面にして患者用寝巻ジャケット１を広げた状態（以下、展開状態と言う）において、表面になる部分を前面部２、裏面になる部分を後面部９（図６参照）、左右の襟が交差した点から胴体方向に伸ばした垂線を正中線１５、前面部２の脇のラインを脇線２０、正中線１５と脇線２０との距離を脇線―正中線距離１６、と言うことにする。また、肩のラインを肩線２７、と言うことにする。患者用寝巻ジャケット１は、前面部２、後面部９、第１スリット１０、第１ボタン部材１１（図２参照）、第２スリット１２、第２ボタン部材１３（図４参照）、および係止手段１４、を備える。前面部２は、襟部３、袖部４、肩部２６、胸部６、および腹部７から構成される。患者用寝巻ジャケット１は、着用者が両袖部５に両腕を通し、係止手段１４で開放した前面部２を閉じて使用される。
【００１５】
図２は、第１スリット１０を開放した図である。図２を参照して、第１スリット１０及び第１ボタン部材１１について説明する。
【００１６】
前面部２には、襟部３から袖口５に向けて、着用者の肩幅方向と略平行に第１スリット１０が形成されている。第１スリット１０によって分離された前面部２のそれぞれの部分には、分離された前面部２同士を係止可能にする第１ボタン部材１１が設けられており、前面部２の第１スリット１０部分が開閉できるように構成されている。第１スリット１０によって分離された肩側の一方の前面部２が、胸部の他方の前面部２に上方から重なり、第１ボタン部材１１により係止される。
【００１７】
前面部２同士を係止する第１ボタン部材１１同士の間に、鎖骨周辺に埋め込んだポート２３（図３参照）を体外から穿刺して薬剤や輸液等を体内に送入するチューブ２２（図３参照）を、通し固定することができる。第１ボタン部材１１同士の間隔は、チューブ２２を通すことができ、同時に固定することができる間隔であれば良い。チューブ２２は後述するドレーン１７よりも外径が小さいので、ドレーン１７の外径に合わせて第１ボタン部材１１同士の間隔は決定される。具体的に、第１ボタン部材１１同士の間隔は、２ｃｍ以上６ｃｍ以下であれば良く、更には２ｃｍ以上４ｃｍ以下が最適である。
【００１８】
図３は、患者１８が患者用寝巻ジャケット１を着用したときの、第１スリット１０部分の胴体長手方向断面の拡大図である。図３を参照して、チューブ２２の取り回しについて説明する。なお、符号１８ａは、胸側体表面を表し、符号１８ｂは、背中側体表面を表す。また、胴体を頭から足の方向を「長手方向」と呼び、胴体を右手から左手に水平に横断する方向を「短手方向」と呼ぶ。
【００１９】
ポート２３は、鎖骨の中央を通る鎖骨中線の外側略１．５〜３．０ｃｍであって、さらに下半身方向へ略１．０〜２．０ｃｍの位置の皮下に埋め込まれる。ポート２３は、皮膚の上からチューブ２２を接続した針２４で穿刺して、輸液等を患者１８の体内へ注入する。上述したように、第１スリット１０を閉じた状態では、第１スリット１０によって分離された肩側の一方の前面部２が、胸部の他方の前面部２に上方から重なっている。チューブ２２は、ポート２３の接続部から患者１８の頭部方向へ一端延出し、その後前面部２同士を係止する第１ボタン部材１１同士の間から、患者脚部方向に延出する。つまり、図３に示されたように、チューブ２２は緩やかな曲線形状になり屈曲がないので、薬剤や輸液の体内への送入を、円滑に行うことができる。
【００２０】
言い換えると、患者用寝巻ジャケット１からチューブ２２を取り出す際には、胸側体表面１８aとジャケットの間で、一度取り出し方向と逆方向にチューブ２２を取り回すことで、穏やかな曲線形状を可能にできる。
【００２１】
再度図1を参照して、チューブ２２がこのような形状に配置されるには、第１スリット１０の位置が、ポート２３よりも上半身側に設けられることが必要である。ここで、展開状態における肩部２６及び胸部６と、袖部４との接続部を接続部２９と言うことにする。具体的には、肩線２７から、該接続部２９における袖部幅の１／３の長さの範囲内に、第１スリット１０が設けられていればよい。最適には、肩線２７から、該接続部２９における袖部幅の１／３の長さの位置に、第１スリット１０を設けることが望ましい。
【００２２】
図４は、第２スリット１２を開放した図である。図４を参照して、第２スリット１２及び第２ボタン部材１３について説明する。
【００２３】
前面部２には、脇線２０から正中線１５に向けて、脇線―正中線距離１６の略１／３の位置に、胸部６から裾部８に向けて、着用者の胴体方向と略平行に第２スリット１２が形成されている。第２スリット１２によって分離された前面部２のそれぞれの部分には、前面部２同士を係止可能にする第２ボタン部材１３が設けられており、前面部２の第２スリット１２部分が開閉できるように構成されている。第２スリット１２によって分離された正中線１５側の一方の前面部２が、脇線２０側の他方の前面部２に上方から重なり、第２ボタン部材１３により係止される。
【００２４】
第２ボタン部材１３同士の間に、胸腔、腹腔等に挿入した体腔内に貯留した血液や膿を体外に排出するドレーン１７（図６参照）を通し、固定することができる。第２ボタン部材１３同士の間隔は、ドレーン１７を通すことができ、同時に固定することができる間隔であれば良い。一般的なドレーンの１７の外径は０．８〜１．０ｃｍであるので、第２ボタン部材１３同士の間隔は、具体的には２ｃｍ以上６ｃｍ以下であれば良く、更には２ｃｍ以上４ｃｍ以下が好適である。
【００２５】
図５を参照して、患者１８の胸腔、腹腔等にドレーン１７が挿入される位置を説明する。図５は、患者１８の仰臥位における腹部を示す。患者正中線２１から、患者正中線２１―腰部末端２５間隔の２／３の部位には、腹壁動静脈が走行するため、この範囲にはドレーン１７は挿入されることはほとんどない。つまり、腰部末端２５から、患者正中線２１―腰部末端２５間隔の１／３の長さの範囲内（図５斜線部）にドレーン１７は挿入される。該部分を、ドレーン挿入部位１９と言うことにする。ドレーン挿入部位１９において、ドレーン１７は体表面から略脊椎２８（図６参照）方向へと挿入される。
【００２６】
体型に応じたサイズの患者用寝巻ジャケット１は患者の体にフィットしているので、患者用寝巻ジャケット１と患者１８の体の該当部分とは略相似関係にある。つまり、患者用寝巻ジャケット１の、脇線２０、正中線１５、及び脇線―正中線距離１６の位置関係は、患者１８の、腰部末端２５、患者正中線２１、及び患者正中線２１―腰部末端２５間隔の位置関係に、対応する。
【００２７】
従って、患者用寝巻ジャケット１の第２スリット１２が設けられる、脇線２０から正中線１５に向けて脇線―正中線距離１６の略１／３の位置は、ドレーン１７の挿入位置である、腰部末端２５から、患者正中線２１―腰部末端２５間隔の１／３の長さの位置に略対応すると言える。
【００２８】
図６は、患者１８が患者用寝巻ジャケット１を着用したときの、第２スリット１２部の胴体短手方向断面の拡大図である。上述したように、第２スリット１２を閉じた状態では、第２スリット１２によって分離された正中線１５側の一方の前面部２が、脇線２０側の他方の前面部２に上方から重なっている。体表面から略脊椎２８方向へと挿入されたドレーン１７は、体内への挿入部から正中線１５方向へ一端延出し、その後前面部２同士を係止する第２ボタン部材１３同士の間から、側臥位方向または下半身方向に延出する。つまり、図６に示されたように、ドレーン１７の挿入部位は、緩やかな曲線形状になり屈曲がないので、胸腔内、腹腔内等に貯留した血液や膿等の体外への排出を円滑に行うことができる。
【００２９】
言い換えると、患者用寝巻ジャケット１からドレーン１７を取り出す際には、胸側体表面１８ａと患者用寝巻ジャケット１との間で、一度取り出し方向と逆方向にドレーン１７を取り回すことで、穏やかな曲線形状を可能にできる。
【００３０】
したがって、第２スリット１２の位置は、脇線２０から正中線１５に向けて脇線―正中線距離１６の１／３の位置に設けられていることが必要である。ドレーン１７の挿入部位は、ドレーン挿入部位１９にほぼ限定されるので、第２スリット１２が脇線２０から正中線１５に向けて脇線―正中線距離１６の１／３の位置に設けられていれば、ドレーン１７の取り回しは必然的に上記のような形状になるからである。
【００３１】
図５、および図６を参照して、より具体的には、第２スリット１２は、脇線２０から正中線１５に向けて脇線―正中線距離１６の略１／３の位置より正中線１５側に、胸部６から裾部８に向けて設けられていればよい。
【００３２】
好適には、脇線２０から正中線１５に向けて脇線―正中線距離１６の１／３の位置に、胸部６から裾部８に向けて設けられていればよい。
【００３３】
本実施形態によれば、ドレーン１７が屈曲せず閉塞しないので、ドレーン１７内に溜まった血液や膿等が滞留しないので、合併症の誘発、及び創傷治癒の阻害をなくすことができる。
【００３４】
また、ドレーン１７の閉塞により生じる、ドレーン１７の患者１８の挿入部位に滞留した血液や膿などの漏出がなくなり、ガーゼ交換等の処置の回数を軽減することができ、医療現場の作業効率を向上することができる。
【００３５】
また、ドレーン１７が屈曲せず閉塞しないように固定されており、ドレーン１７を挿入したまま患者が寝起きしたり、歩行しても胸腔内、腹腔内等に貯留した血液や膿等の体外への排出を阻害しないので、患者の動作の自由度を大きくすることができる。
【００３６】
また、ドレーン１７が側腹部から出ないので、患者が側臥位になっても体に接触せず痛みがないとともに、ドレーン１７が閉塞することを防止できる。
【産業上の利用可能性】
【００３７】
本発明は、患者用寝巻ジャケットに関して有用である。
【符号の説明】
【００３８】
１                      患者用寝巻ジャケット
２                      前面部
３                      襟部
４                      袖部
５                      袖口
６                      胸部
７                      腹部
８                      裾部
９                      後面部
１０                    第１スリット
１１                    第１ボタン部材
１２                    第２スリット
１３                    第２ボタン部材
１４                    係止手段
１５                    正中線
１６                    脇線―正中線距離
１７                    ドレーン
１８                    患者
１８ａ                  胸側体表面
１８ｂ                  背中側体表面
１９                    ドレーン挿入部位
２０                    脇線
２１                    患者正中線
２２                    チューブ
２３                    ポート
２４                    針
２５                    腰部末端
２６                    肩部
２７                    肩線
２８                    脊椎
２９                    接続部
１０１                  前面部
１０２                  係止手段
１０３                  襟部
１０４                  袖部
１０５                  先端開口部
１０６                  切り込み
１０７                  止めホック
２０１                  前みごろ
２０１ａ，２０１ｂ      前みごろの脇部
２０２                  後みごろ
２０２ａ，２０２ｂ      後みごろの脇部
２０３                  肩線
２０４                  両袖
２０５                  切開部
２０６                  袖下
２０７                  面ファスナー
【図１】
2011256498.tif 000003
【図２】
2011256498.tif 000004
【図３】
2011256498.tif 000005
【図４】
2011256498.tif 000006
【図５】
2011256498.tif 000007
【図６】
2011256498.tif 000008
【図７】
2011256498.tif 000009
【図８】
2011256498.tif 000010